(57)【特許請求の範囲】
【請求項１】
船首底部に前方に突出する球状突起(2)を備え、この球状突起の先端と船首上部(3)との間に装架されたパイプ材からなるステイ(4)を備え、このパイプステイは、上端と下端とに設けたフランジを船首上部の下面と球状突起の先端上部とにボルトで固定されて船首上部と球状突起の先端との間に下向き方向に傾斜する網抑え縁(6)を形成しており、前記パイプステイと球状突起の先端との固定部には、前記網抑え縁と球状突起の先端とを滑らかに連接して網が引っ掛るのを防止する樹脂整形部(5)を備えている、定置漁船。
【発明の詳細な説明】
【０００１】
【発明の属する技術分野】
この発明は、定置網を用いて漁をする定置漁船の船首部分の構造に関するものである。
【０００２】
【従来の技術】
定置漁業は海中に定置網を設置し、回遊してくる魚を網内に導いて捕獲するというもので、網は比較的沿岸に近い海域に設置される。定置網は海面に張られたワイヤや化繊ロープに懸吊された状態で設置されており、毎日漁船を網内に入れ、網の奥の部分を入口側から順に海面に寄せて魚を網の奥端に追い込んで水揚げする。
【０００３】
従来はこの網起しや魚の捕獲を数隻の漁船で行なっていたが、漁価の低減と人件費の高騰、漁業人口の高齢化等のために、省力化と機械化が進み、１隻の漁船で水揚げや網の交換を行なうようになってきている。そのため、定置漁船は大型化し、搭載される省力化機械の増大して、トン数も大きくなっている。
【０００４】
更に定置網は、従来波の穏やかな内海の岸に近い場所に設置されることが多かったが、漁業資源の減少や漁船の大型化に伴って、波の高い外海や従来より沿岸から離れた海域に設置されることも多くなり、以前であれば操業できなかった気象状況でも操業する様になってきている。
【０００５】
定置漁船は、漁をするときは船を横向きにして移動させながら魚を追い込んでゆくこと、漁をするには網を懸吊しているワイヤや化繊ロープを乗り越えて網の内側に入らなければならないことなどのために、船幅が広く吃水の浅い平底の船が用いられている。
【０００６】
定置網の網に関しては、漁獲量の増大や網の交換期間の延長、海中における網の安定性の増大などを目的として種々の改良がなされているが、定置漁船の改良はあまり行われていない。前述したように、漁船が大型化し、搭載される機械器具の重量が増し、波の高い海域をより遠くまで航行することが多くなっているが、従来の船型をそのままスケールアップして大型化に対応しているのが現状である。
【０００７】
一方、外洋を航行する比較的大型の貨物船・商船・沖合漁業船等に採用される船首形状として、船首の吃水下に前方に突出する球状突起を設けた形状（球状船首、バルバスバウなどと呼ばれている）が採用されている。この船首形状は、航行時に船首が水をかき分けるときに生ずる波と水中を進行する球状突起によって生ずる波とが互いに打消し合って、造波抵抗が減少する作用が特に大型船の場合に大きいという特徴があり、更に船首に設けた突起が水中で上下動するときに水の抵抗を受けるために船のピッチングが抑えられること、突起を設けた分だけ船首部分の浮力が大きくなること、突起の長さ分だけ船の幅に対する長さが長くなるので航行抵抗が小さくなる等の特徴を持っている。
【０００８】
【発明が解決しようとする課題】
定置漁船は上述した形状を備えているため、航行するときの水の抵抗が大きく、また波によって船首が持ち上げられやすいために、ピッチング、特に船が波に向って航行するときのピッチングが大きい。そのため、波が高いときには船首が高く持ち上げられたあと海面に叩き付けられて大きな衝撃が生ずる。更に機械化された定置漁船の船首には、重い（通常３トン程度ある）揚網機が搭載されるため、ピッチングを起こしたときの衝撃が更に増大する。このような船の挙動は、搭乗者に不快感を与え、船の速やかな航行を妨げるばかりでなく、航行の安全を害する。
【０００９】
前述したように、船首底部に球状突起を設けることにより、航行抵抗とピッチングを抑制できることが知られているが、定置漁船は網内の漁場へ入る必要があり、船首底部に球状突起を設けると、網の内側に入るときに網を懸吊しているワイヤや化繊ロープが船首に引っ掛かって船が漁場に入ることができなくなる。
【００１０】
この発明は、上記のような互いに相反する技術的な問題点を解決して、船首や船底に受ける抵抗を和らげ、航行時のピッチングを抑えて、波のある海域での航行安全性に優れた定置漁船を提供することを課題としている。
【００１１】
【課題を解決するための手段】
この発明の定置漁船は、船首底部に前方に突出する球状突起２を備えており、更にこの球状突起２の先端と船首上部３との間に球状突起２より幅狭いパイプ材からなる、網抑え部材４が装架されている。この網抑え部材４は、船首上部３と球状突起２の先端との間に下向き方向に傾斜する網抑え縁６を形成している。
【００１２】
上記パイプ材４と球状突起２の先端との固定部は、ボルトで固定する構造とし、網抑え縁６と球状突起２の先端とを滑らかに連接する樹脂整形部５を設ける。
【００１３】
上記のこの発明の定置漁船は、船首底部に球状突起２を設けることにより、船首が波に突っ込み又波から離れるときの船首の上下動に抵抗を与えて、航行時における船のピッチングを抑制すると共に、船首に搭載される揚網機の重量に対応する浮力を船首部分に与え、かつ網抑え部材４によって形成されたパイプ材６により、船が漁場に入るときの船首への網やワイヤの引っ掛かりを防止したものである。
【００１４】
定置漁船のように比較的小型の船舶の場合には、球状突起による造波抵抗の減少作用はあまり大きくなく、ピッチング抑制作用をより大きく発揮させるために、球状突起２の形状としては、比較的偏平で、上動しようとするときの水の抵抗の大きな形状とするのがより好適である。
【００１５】
網抑え縁６は、球状突起２の先端上部と船首上部との間にパイプステイ４を斜めに装架することにより、容易に形成できる。
【００１６】
このパイプステイ４の下端を球状突起２に固定する固定手段として、ボルトによる締結構造を採用し、その締結部分に形成される凹凸に網が引っ掛るのを防止するため、網抑え部材６と球状突起２との接続部にファイバ補強樹脂などによる整形部５を設けて、網抑え縁６の下端が滑らかに球状突起２の先端に連接されるようにする。
【００１７】
【発明の実施の形態】
図２はこの発明の定置漁船の一実施例を示す全体側面図、図１はその船首部分の拡大側面図である。
【００１８】
定置漁船は吃水の浅い平底の船型をしており、船尾のスクリュー及びラダー部分には、網やワイヤが引っ掛からないようにガードが設けられている。平面図は省略しているが、比較的船幅の広い矩形に近い平面形状の甲板を備えており、操舵室や機関室は後部に設けられて、船の中央から船首にかけて、水揚げした魚や網交換時に網を搭載するための広い甲板が設けられている。船首には揚網機１が搭載されている。
【００１９】
この発明の定置漁船には、船首底部に球状突起２が設けられている。図示実施例の球状突起２は、水中での上下方向の水の抵抗を大きくするために、前方から見たときに横に細長い偏平形状となっており、かつ上面が若干くびれた形状にして、特に水中で上動するときの水の抵抗を大きくするように考慮されている。
【００２０】
球状突起２は、造波抵抗の減少作用をあまり期待しないので、必ずしも常時水面下にある必要はない。船首が波にぶつかったときには、船体が波に当たるより先に球状突起２が波の中に進入するので、ピッチングを低減する作用は十分に発揮できる。
【００２１】
この球状突起２の先端上部と船首上部の球状突起の先端より前方の部分３との間に、ステンレスパイプ製のステイ４が装架されている。このパイプステイ４は、上端と下端とに設けたフランジを船首上部の下面及び球状突起２の先端上部にボルトで締結することによって、固定されている。そして、その締結部には、グラスファイバー樹脂を積層した整形部５を設けて、段差のない滑らかな形状としてある。
【００２２】
パイプステイ４の前縁によって網やワイヤを下方へ案内する網抑え縁６が形成される。船が網内へ進入するとき、網、特に海面上に張られたワイヤや化繊ロープがパイプステイの前縁に衝突して、当該前縁の傾斜により、球状突起２の下方にワイヤや化繊ロープが案内されて、当該ワイヤや化繊ロープが船首に引っ掛るのが防止され、船を網内の漁場へ乗り入れることができる。
【００２４】
更に図示実施例の定置漁船は、船底に受ける波の衝撃を和らげるために、船首から中央部分にかけてチャインを付ける形状を採用している。このチャインは、レジャーボート等には採用されつつあるが、定置漁船では従来採用されていなかったものである。このチャインは、船の底面の両側を舷側に向けて斜めに傾斜した面とすることにより設けられ、船底に衝突した波の衝撃を船の両側に逃がして和らげる効果がある。
【００２５】
【発明の効果】
以上のようにこの発明により、海面に張られたワイヤや化繊ロープを乗り越えて網内の漁場に進入することが可能で、かつ波のある海面を航行するときの航行抵抗やピッチングを抑制した定置漁船を提供することができ、定置漁船の大型化及び機械化並びに定置網の設置場所の拡大に伴って生ずる航行安全性や航行距離の増大に対応可能な定置漁船を提供することができる。
【図面の簡単な説明】
【図１】実施例の船首部分を示す側面図
【図２】図１の定置漁船の全体側面図
【符号の説明】
２  球状突起
３  船首上部
４  網抑え部材
５  整形部
６  網抑え縁
【図１】
0004686082.tif 000002
【図２】
0004686082.tif 000003